(57)【要約】【課題】部品点数が少なく、植木鉢の内部に入れられた土の通気性、排気性がよく、植木を支持する支柱が倒れにくく安定した直立状態を保つことのできる植木鉢及び支柱保持構造を提供する。【解決手段】植木鉢１は、底面２に複数の突起８と、１又は複数の排水穴１０を有する。また、隣接する突起８に囲まれた領域９に植木を支持する支柱６の端部６ａが収容され、植木鉢１の上縁部４に支柱保持具７を取り付けて支柱６を保持することにより、２点保持となり、支柱６を倒れにくくする。【選択図】        図１
2004236537.tif 000002
【特許請求の範囲】
【請求項１】
底面に、複数の突起と、１又は複数の排水穴を有することを特徴とする植木鉢。
【請求項２】
前記突起を、栽培植物が倒れるのを防止する支柱の端部が、隣接する複数の突起に囲まれることによって形成された領域に収容され、該領域の外に滑らない間隔に配置したことを特徴とする請求項１記載の植木鉢。
【請求項３】
前記突起は、該突起の中心から四方に伸びる翼を備え、横断面が十字形であり、複数の突起の全部又は一部が前記翼の延長方向を一致させて配置されていることを特徴とする請求項１又は２記載の植木鉢。
【請求項４】
複数の突起の全部又は一部が、前記底面上で正方形の格子を形成するように配置され、前記突起に囲まれることによって形成された領域に前記支柱の端部が収容されることを特徴とする請求項３記載の植木鉢。
【請求項５】
請求項２〜４のいずれかに記載の植木鉢の上縁部に支柱保持具を取り付け、該支柱保持具が栽培植物が倒れるのを防止する支柱を保持し、隣接する複数の突起に囲まれることによって形成された領域に前記支柱の端部が収容され、前記支柱が前記支柱保持具と前記突起の２点で保持されることを特徴とする支柱保持構造。
【請求項６】
前記支柱保持具は、水平部と、前記植木鉢の上縁部を挟む挟持部と、前記植木鉢の側面と当接する脚部と、前記水平部に設けられ、前記支柱が貫通する貫通穴を１又は複数備えていることを特徴とする請求項５記載の支柱保持構造。
【発明の詳細な説明】
【０００１】
【発明の属する技術分野】
本発明は植木鉢及び支柱保持構造に関し、更に詳しくは土の通気性、排水性がよく、栽培植物が倒れるのを防止するための支柱が倒れにくい植木鉢及び支柱保持構造に関する。
【０００２】
【従来の技術】
従来の植木鉢では、植木鉢の底面に穴のある凹凸を有する受皿を入れて、通気性、排水性をよくしていた（例えば、特許文献１参照）。
【０００３】
また従来の植木鉢では、植木鉢に植えられた栽培植物を支持するための支柱が風や植木の重さで倒れないように植木鉢の底面に支持構造を設け、支柱を支持構造に固定して倒れないようにしていた（例えば、特許文献２参照）。
【０００４】
【特許文献１】
実開昭６１−１９３７４４号公報（第１５３頁、図１）
【特許文献２】
実開平５−３７０４６号公報（第２頁、図１）
【０００５】
【発明が解決しようとする課題】
従来の植木鉢では（例えば特許文献１参照）、植木鉢の底面に穴のある凹凸を有する受け皿を入れるため、部品点数が多くなり、コストがかかるという問題点があった。
【０００６】
また従来の植木鉢では（例えば、特許文献２参照）、支柱を固定する支持構造を設けても、通気性、排水性をよくするには別部材を設ける等が必要であり、部品点数が多くなるという問題点があった。また、支持構造を設けた場合には、植木鉢内の任意の位置に支柱を立てることができないという問題点もあった。
【０００７】
本発明は、部品点数が少なく、植木鉢の内部に入れられた土の通気性、排水性がよく、栽培植物が倒れるのを防止する支柱が倒れにくく安定した直立状態を保つことのできる植木鉢及び支柱保持構造を提供することを目的とする。
【０００８】
【課題を解決するための手段】
本発明に係る植木鉢は、底面に、複数の突起と、１又は複数の排水穴を有するものである。植木鉢の底面に複数の突起を設けることにより、部品点数を増やすことなく、土と植木鉢の底面の間に隙間が形成され通気性、排水性を高めることができる。また、突起を、栽培植物が倒れるのを防止する支柱の端部が、隣接する複数の突起に囲まれることによって形成された領域に収容され、その領域の外に滑らない間隔に配置したものである。これにより、後述する支柱保持具が植木鉢の上縁部に取り付けられることにより、栽培植物が倒れるのを防止する支柱が植木鉢の底面の突起と支柱保持具の２点で保持されるため、倒れにくくなり、安定した直立状態を保つことができる。
【０００９】
また本発明に係る支柱保持構造は、上記の植木鉢の上縁部に支柱保持具を取り付け、支柱保持具が栽培植物が倒れるのを防止する支柱を保持し、底面の隣接する複数の突起に囲まれることによって形成された領域に支柱の端部が収容され、支柱が支柱保持具と突起の２点で保持されるものである。栽培植物が倒れるのを防止する支柱の端部は植木鉢の底面の突起に囲まれる領域に収容されて動かず、支柱の上方で支柱保持具により保持されるため、倒れにくくなり、安定した直立状態を保つことができる。
【００１０】
【発明の実施の形態】
実施形態１．
図１は本発明の実施形態１に係る植木鉢の斜視図であり、図２は図１の植木鉢の縦断面図である。図１は植木鉢の内部が見やすいように斜線の部分で切断した状態を示している。図１に示すように植木鉢１は、底面２、側面３、上縁部４及び足５からなっている。底面２には、突起８が複数設けられている。図１では、突起８が底面２のほぼ全面に亘って設けられているが、中央部分などの一部に設けてもよい。また植木鉢１には内部に土を入れた状態で、栽培植物が倒れないように支持するための支柱６を立てることができ、支柱６が風や栽培植物の重さで倒れないようにするために支柱保持具７を、上縁部４に取り付けることができるようになっている。支柱６を立てるときは、支柱６の端部６ａが植木鉢１の底面２に当接するようにする。
【００１１】
図３は、図１の植木鉢１の底面２の斜視図であり、図４は突起８を拡大した図である。なお、図３では植木鉢１の側面３、上縁部４及び足５を除いた状態を示している。底面２の表面は複数の突起８を有しており、底面２の中央部分には正方形の格子を形成するように複数の突起８が配置されている。また隣接する複数の突起８に囲まれることによって正方形状の領域９（以下、領域９という）が形成されている。図４に示すように、本実施形態１では突起８は横断面が十字形をしており、突起８の中心から四方に伸びる翼８ａを備えている。また底面２の中央部分の突起８は、翼８ａの延長方向が一致するように規則正しく配置されている。
底面２には植木鉢１に入れられた土の通気性、排水性をよくするための排水穴１０が複数設けられている。植木鉢１に植えられた栽培植物に水が与えられた場合には、植木鉢の内部に入れられた土を通過した水が底面２に達する。そして水が領域９上を流れて、突起８の間を通過して排水穴１０に到達して排出される。
【００１２】
領域９は、図１に示すように支柱６が立てられて支柱６の端部６ａが底面２に当接したときに、支柱６の端部６ａが収容されるようになっており、突起８は支柱６の端部６ａが領域９の外に滑らないように配置されている。突起８は、例えば高さが５ｍｍ程度で、隣合う突起８の間隔が３ｍｍ程度になっている。なお、支柱６には、領域９に収容できる適当な端部６ａを備えたものを使用するのが望ましい。本実施形態１では、底面２の中央部分の領域９が正方形状になるように突起８を規則的に設けているが、支柱６を使用せず、通気性、排水性をよくしたい場合等は突起８を密に設ける等してもよい。
【００１３】
図４で示した突起８の例では、突起８の中心から四方に伸びる翼８ａが中心から離れた位置で傾斜状になっている。なお、突起８は図５に示すように翼８ａの中心から離れた面が、底面２に対して直角になっていてもよい。
【００１４】
本実施形態１に係る植木鉢１を使用するときは、図２に示す植木鉢の内部に土を入れて栽培植物を植えるようにする。また、栽培植物を倒れないようにする必要があるときは、植木鉢１の上縁部４に支柱保持具７を取り付け、支柱６を支柱保持具７に貫通させて土に差し込み、支柱６の端部６ａが植木鉢１の底面２の領域９に収容されるようにする。図２では、支柱６の端部６ａが領域９に空間的に余裕を持った状態で収容されている。なお支柱６の端部６ａは、図２に示すように尖った形状でなくてもよく、領域９に嵌合するように挿入されるようにしてもよい。
【００１５】
本実施形態１では、植木鉢１の底面２に複数の突起８を設けたことにより、部品点数を増やすことなく、植木鉢１の内部に入れられた土と底面２の間に隙間が形成され、通気性、排水性を高めることができる。また、栽培植物に与えられた水が領域９上を流れて、突起８の間を通過して排水穴１０に到達して排出されるため排水性がより高くなる。この通気性、排水性を高める効果は、粗い土や、ある程度の大きさで固まった土（以下、ゴロ土という）を使用した場合に顕著となる。
【００１６】
また、植木鉢に通常の土の下に排水性をよくするためゴロ土を入れることがあるが、ゴロ土の部分は隙間が多く動きやすい。このため、従来の植木鉢では土に差し込まれた支柱６の端部６ａが動きやすくなる。しかし、本実施形態１の植木鉢１の底面２には突起８があるため、ゴロ土は突起８とかみ合い、容易に動かないので支柱６は倒れにくくなる。
【００１７】
さらに、支柱保持具７を植木鉢１の上縁部４に取り付けることにより、支柱６は支柱保持具７で上方を保持される。また、隣接する複数の突起８に囲まれることによって形成された領域９に栽培植物を支持する支柱６の端部６ａが収容されるため、支柱６の端部６ａが突起８に引っ掛かり、底面２の上を滑らない。このため支柱６は、支柱保持具７と突起８の２点で保持される支柱保持構造によって、支柱６は倒れにくくなる。
【００１８】
実施形態２．
図６は本発明の実施形態２に係る植木鉢１の底面２の斜視図である。図６では、図３と同様に植木鉢の側面３、上縁部４及び足５を除いた状態を示している。なお、突起８以外の部分は実施形態１と同様である。底面２の表面は複数の突起８を有しており、突起８は横断面が円形をしている。また、複数の突起８に囲まれることによって領域９が形成されている。図６に示す領域９には、実施形態１と同様に支柱６の端部６ａが収容されるようになっており、突起８は支柱６の端部６ａが領域９の外に滑らない間隔で配置されている。図６では、突起８が円柱形になっているが、上面側が下面側よりも小さくなっていてもよい。なお、突起８の形状は本実施形態２のような円柱状や実施形態１のような十字状のものに限られない。
【００１９】
本実施形態２では、植木鉢１の底面２に複数の突起８を設けたことにより、前記の実施形態１と同様に植木鉢１の内部に入れられた土と底面２の間に隙間が形成され、通気性、排水性を高めることができる。また、実施形態１と同様に支柱保持具７を植木鉢１の上縁部４に取り付けることにより、支柱６は支柱保持具７で上方を保持される。また、隣接する複数の突起８に囲まれることによって形成された領域９に栽培植物が倒れるのを防止する支柱６の端部６ａが収容されるため、支柱６の端部６ａが突起８に引っ掛かり、底面２の上を滑らない。このため支柱６は、支柱保持具７と突起８の２点で保持される支柱保持構造によって、支柱６は倒れにくくなる。
【００２０】
実施形態３．
図７は、図１に示した植木鉢１の上縁部４に取り付けられて使用する支柱保持具７を拡大した斜視図である。支柱保持具７は、水平部１１と、植木鉢１の上縁部４を挟む挟持部１２と、植木鉢１の側面３に当接し、植木鉢１の内部に入れられた土に差し込まれる脚部１３を備えている。脚部１３には、水平部１１を支持し、植木鉢１の内部に入れられた土によって支柱保持具７が安定して植木鉢１に固定されるようにリブ１３ａが設けられている。また水平部１１には、円錐台状で支柱が貫通する貫通穴１４が複数設けられている。貫通穴１４は支柱６を弾性的に固定できるように複数の切れ目が設けられており、これにより支柱６の太さが多少違うものであっても支柱保持具７に固定できるようになっている。
【００２１】
本実施形態３では、支柱保持具７に挟持部１２と脚部１３が備えられていることにより、支柱保持具７を植木鉢１に安定して固定することができる。また、脚部１３にリブ１３ａが設けられているため、脚部１３が土に挿入されたときに支柱保持具７が安定する。さらに、水平部１１に設けられた貫通穴１４に切れ目が設けられているため、支柱６の太さが多少違っても弾性的に固定することができる。
【００２２】
【発明の効果】
以上のように本発明によれば、植木鉢が底面に複数の突起と、１又は複数の排水穴を有していることにより、部品点数を増やすことなく植木鉢の内部に入れられた土と植木鉢の底面の間に隙間が形成され通気性、排水性がよくなる。また、支柱保持具を植木鉢の上縁部に取り付けることにより、支柱が支柱保持具で保持され、支柱の端部が底面の隣接する複数の突起に囲まれることによって形成された領域に収容され、突起に引っ掛かり、２点保持の支柱保持構造になり、支柱が倒れにくくなる。
【図面の簡単な説明】
【図１】本発明の実施形態１に係る植木鉢の斜視図である。
【図２】本発明の実施形態１に係る植木鉢の縦断面図である。
【図３】本発明の実施形態１に係る植木鉢の底面の斜視図である。
【図４】本発明の実施形態１に係る植木鉢の底面の突起の拡大図である。
【図５】本発明の実施形態１に係る植木鉢の底面の突起の一例を示す拡大図である。
【図６】本発明の実施形態２に係る植木鉢の底面の斜視図である。
【図７】本発明の実施形態３に係る支柱保持具を拡大した斜視図である。
【符号の説明】
１  植木鉢、２  底面、３  側面、４  上縁部、５  足、６  支柱、６ａ  端部、７  支柱保持具、８  突起、９  突起によって囲まれる領域、１０  排水穴、１１  水平部、１２  挟持部、１３  脚部、１３ａ  リブ、１４  貫通穴。
【図１】
2004236537.tif 000003
【図２】
2004236537.tif 000004
【図３】
2004236537.tif 000005
【図４】
2004236537.tif 000006
【図５】
2004236537.tif 000007
【図６】
2004236537.tif 000008
【図７】
2004236537.tif 000009